(57)【要約】【課題】配線作業の繁雑さを招くことなく、断熱箱体内の電線を断線等から保護する。【解決手段】天面開口部３３の下面側がドレンパン３８を設けたエアダクト３５で覆われ、同エアダクト３５の周縁に設けられたフランジ３６Ｂ，３７Ｃを、天面開口部３３の下面側の口縁部に当てて、ねじ４２で止めることにより冷却器室３４が形成される。本体１０の奥壁１０Ａに設けられた排水路４４の入口部分にドレンヒータ４９が装着され、そのリード線４９Ａが、天面開口部３３の周面を構成する連結枠７０の周壁７１の裏面を通って配線される。連結枠７０の周壁７１の裏面には、２枚の縦向きの規制板１０１からなる規制部１００が設けられ、同規制板１０１は、ねじ４２がねじ込まれて突出するねじ孔６８を挟むようにして突出形成されている。【選択図】図１３
2008309441.tif 000002
【特許請求の範囲】
【請求項１】
外箱内に内箱を間隔を開けて収容して両箱の間に発泡樹脂からなる断熱材を充填した断熱箱体製の貯蔵庫本体が備えられて、この貯蔵庫本体の天井壁に開口部が設けられ、前記天井壁の上面には、冷凍装置を搭載した断熱性の基台が前記開口部を塞いで設置されるとともに、前記開口部の下面側がカバーで覆われて同カバーが開口部の下面側の口縁部にねじで止められて固定されることにより、前記カバー内に、前記冷凍装置と接続された冷却器が収容された冷却器室が形成され、かつ前記開口部の裏側には電線が配線された冷却貯蔵庫において、
前記開口部は、前記外箱の天板に開口された窓孔の開口縁と、前記内箱の天板に対応して開口された窓孔の開口縁とにわたり、合成樹脂製の連結枠が装着されることで形成され、この連結枠の周壁の裏面側における前記カバーの固定用のねじの突出部分と対応する位置には、同ねじの突出部分に前記電線が侵入することを規制する規制手段が設けられていることを特徴とする冷却貯蔵庫。
【請求項２】
前記規制手段は、前記連結枠の周壁の裏面から、前記ねじの突出部分を挟むように突設された２枚の縦向きの規制板によって構成されていることを特徴とする請求項１記載の冷却貯蔵庫。
【請求項３】
前記規制板の突出端縁の上部位置からは、同規制板の板面に沿った略水平姿勢で突片が突出形成されていることを特徴とする請求項２記載の冷却貯蔵庫。
【請求項４】
前記規制板に設けられた前記突片の先端には、下向きに屈曲された屈曲部が形成されていることを特徴とする請求項３記載の冷却貯蔵庫。
【発明の詳細な説明】
【技術分野】
【０００１】
本発明は、貯蔵庫本体を構成する断熱箱体の内部に配線された電線を保護する手段を備えた冷却貯蔵庫に関する。
【背景技術】
【０００２】
冷蔵庫の一例として、以下のようなものが知られている。このものは、外箱内に内箱を間隔を開けて収容して両箱の間に発泡樹脂からなる断熱材を充填した断熱箱体製の冷蔵庫本体を備え、その天井壁に開口部が形成されており、同冷蔵庫本体の上面に、冷凍装置を搭載した断熱性の基台が開口部を塞いで設置されるとともに、開口部の下面側が、ドレンパンを兼ねたエアダクトで覆われて、上記の冷凍装置と接続された冷却器が収容された冷却器室が形成されている。また、エアダクト（ドレンパン）の奥側に設けられた排水管が、冷蔵庫本体の奥壁内に形成された排水路に臨んでいて、除霜運転時には、冷却器等からの除霜水がエアダクトで受けられたのち、排水管から排水路を通って庫外に排出されるようになっている（例えば、特許文献１参照）。
【０００３】
ここで除霜時において、除霜水に混じって霜の塊が排水管から排出され、それが排水路で詰まって凍り付く可能性もあるため、排水路の入口等にドレンヒータを配し、霜の塊を融かして凍り付きを防止する手当が施されている。  
このドレンヒータは、言わば冷蔵庫本体内に埋設された状態となるため、そのリード線は、電装箱等が設置される冷蔵庫本体の上面側に引き出す必要がある。具体的な構造としては、断熱箱体の外殻を組み付ける途中において、排水路の入口にドレンヒータが装着されるとともに、そのリード線が、内箱の天板の上面上を開口部の一周壁の裏面に向けられ、そののち同周壁さらには隣り合う周壁の裏面に沿うように配線されたのち、例えば同開口部の一角部において外箱の天板に切り欠き形成された引出口から上面に引き出され、この状態で外殻内に発泡樹脂が発泡充填されるようになっている。
【特許文献１】特開２００１−３３１４８公報
【発明の開示】
【発明が解決しようとする課題】
【０００４】
一方、上記したエアダクトは断熱箱体の形成後に取り付けられるようになっており、例えば、エアダクトの上縁にフランジが設けられて同フランジにねじの挿通孔が開口されるとともに、天井壁の開口部における下側の口縁部、すなわち内箱の天板の口縁部における対応した位置にねじ孔が形成されていて、エアダクトのフランジが、天井壁の開口部の下側の口縁部に当てられたのち、フランジの挿通孔に通したねじを対応したねじ孔にねじ込むことで固定される。  
言い換えると、ねじ込まれたねじは、開口部の周壁の裏面において内箱の天板の上面に突出するが、同位置は、ドレンヒータのリード線が配線される場所でもあるため、突出したねじがリード線と干渉して断線を招くおそれがある。これを回避するには、リード線を周壁の裏面に沿って配線する場合に、ねじ孔の位置を避けて這わせる必要があり、しかも発泡樹脂の発泡充填時における発泡圧を受けてリード線がねじ孔の位置までずれてしまわないように、這わせたのちに適宜にテープを貼って固定する必要があって、その作業に手間が掛かるという問題があった。  
本発明は上記のような事情に基づいて完成されたものであって、その目的は、配線作業の繁雑さを招くことなく、断熱箱体内の電線を断線等から保護するところにある。
【課題を解決するための手段】
【０００５】
本発明は、外箱内に内箱を間隔を開けて収容して両箱の間に発泡樹脂からなる断熱材を充填した断熱箱体製の貯蔵庫本体が備えられて、この貯蔵庫本体の天井壁に開口部が設けられ、前記天井壁の上面には、冷凍装置を搭載した断熱性の基台が前記開口部を塞いで設置されるとともに、前記開口部の下面側がカバーで覆われて同カバーが開口部の下面側の口縁部にねじで止められて固定されることにより、前記カバー内に、前記冷凍装置と接続された冷却器が収容された冷却器室が形成され、かつ前記開口部の裏側には電線が配線された冷却貯蔵庫において、前記開口部は、前記外箱の天板に開口された窓孔の開口縁と、前記内箱の天板に対応して開口された窓孔の開口縁とにわたり、合成樹脂製の連結枠が装着されることで形成され、この連結枠の周壁の裏面側における前記カバーの固定用のねじの突出部分と対応する位置には、同ねじの突出部分に前記電線が侵入することを規制する規制手段が設けられている構成としたところに特徴を有する。
【０００６】
上記構成によれば、外箱、内箱並びに連結枠を組み付けて断熱箱体の外殻を形成する際、同外殻内では、内箱の天板の上面上を連結枠の周壁の裏面に沿うように電線が配線されるが、同電線は、規制手段によってねじの突出部分へ侵入することが規制され、すなわちねじの突出部分を避けて配線される。係る状態から外殻内に断熱材が発泡充填されることで断熱箱体が形成される。発泡前に電線が配線される際に電線が引っ張られたり、また発泡時の発泡圧を受けた場合でも、電線がねじの突出部分に侵入することはない。  
上記により電線は、断熱材中をねじの突出部分を避けて配線されるから、カバーを取り付けるべくねじがねじ込まれて、連結枠の周壁の裏面側に突出した場合にも、電線と干渉することが回避される。電線は、連結枠の周壁の裏面に沿うように単に配線すれば、規制手段によって発泡の前後に拘わらず電線がねじの突出部分に侵入することが回避でき、すなわち配線に格別の気を遣ったり、手間を掛ける必要がない。
【０００７】
また、以下のような構成としてもよい。  
前記規制手段は、前記連結枠の周壁の裏面から、前記ねじの突出部分を挟むように突設された２枚の縦向きの規制板によって構成されている。連結枠の周壁の裏側に沿って電線が配線された際、２枚の縦向きの規制板の突出端縁に電線が当たることで、両規制板の間にあるねじの突出部分に電線が侵入ことが規制される。
【０００８】
前記規制板の突出端縁の上部位置からは、同規制板の板面に沿った略水平姿勢で突片が突出形成されている。電線が突片に引っ掛かることにより、電線が規制板の上に乗り上げることが防止される。仮に規制板の上縁よりも上にねじの突出端が突出した場合にも、ねじが電線と干渉することが防止される。  
前記規制板に設けられた前記突片の先端には、下向きに屈曲された屈曲部が形成されている。電線を、規制板の突出端縁と、突片の屈曲部との間に通して配線することで、電線の水平方向の位置ずれがさらに規制できる。例えば、後から天井壁に工具等で孔開けの加工をする必要が生じた場合、内部の電線の配線箇所が大体判るから、工具で電線を傷付けることを防止できる。
【発明の効果】
【０００９】
本発明によれば、配線作業の繁雑さを招くことなく、断熱箱体内の電線を断線等から保護することができる。
【発明を実施するための最良の形態】
【００１０】
＜実施形態１＞
本発明の実施形態１を図１ないし図１４によって説明する。この実施形態では、４ドア型の冷蔵庫を例示している。  
本実施形態の冷蔵庫は、図１及び図２に示すように、前面開口のやや縦長の断熱箱体からなる冷蔵庫本体１０（以下、本体１０という）を有している。本体１０は大まかには、亜鉛鋼板等の金属板製の複数枚のパネルを組み付けてなる前面開口の外箱１１内に、ステンレス鋼板等の金属板製の複数枚のパネルを組み付けてなる内箱１２が間隔を開けて収容され、両箱１１，１２の間に、発泡ウレタン樹脂等の発泡樹脂からなる断熱材１３が発泡充填されることで形成されている。  
本体１０内は冷蔵室１５とされ、棚柱１６を介して棚網１７が多段に設置できるようになっているとともに、本体１０の前面開口部１８には、十字形に組まれた断熱性の仕切枠１９が装着されることで計４個の出入口２０が形成されている。これらの出入口２０には、裏面にパッキン２１Ａが装着された断熱扉２１が、上下２段に分かれて観音開き式の開閉可能に装着されている。
【００１１】
本体１０は、底面に配された図示４本の脚２２で支持されているとともに、本体１０の上面には、パネルで囲まれることにより機械室２４が形成されている。機械室２４には、冷凍ユニット２５が装備されている。  
冷凍ユニット２５は、平面方形をなす断熱性の基台２６の上面に、圧縮機２８、空冷式の凝縮器２９等からなる冷凍装置２７が載置されるとともに、下面側に冷却器３０が吊り下げて取り付けられ、冷凍装置２７と冷却器３０とが冷媒配管により循環接続された構造となっている。  
一方、機械室２４の底面、言い換えると本体１０の天井壁３２には、基台２６よりも一回り小さい方形孔からなる天面開口部３３が形成されており、上記した冷凍ユニット２５の基台２６が、冷却器３０を天面開口部３３の下面側に通しつつ天面開口部３３を塞いで取り付けられている。
【００１２】
天面開口部３３の下面側には、エアダクト３５（本発明のカバーに相当）が張られることで冷却器室３４が形成されている。このエアダクト３５は金属板製であって、図３及び図４に示すように、左右一対の側板３６の間に、ファン取付板３７とドレンパン３８とが差し渡されて組み付けられ、天面開口部３３の下方を概ね覆うことができる平面形状に形成されている。  
各側板３６は、天面開口部３３の下面側の奥行寸法にほぼ等しい長さを有し、前縁側（図４の左側）がテーパ縁３６Ａとされているとともに、上縁が外側に直角曲げされてフランジ３６Ｂが形成されている。両側板３６が、天面開口部３３の下面側の横幅にほぼ等しい間隔を開けて配される。
【００１３】
両側板３６の間における手前側の約１／３の領域には、ファン取付板３７が配される。ファン取付板３７には、ファン取付孔となる図示３個の吸込口３７Ａが間隔を開けて横幅方向に並んで形成されており、図４に示すように、奥縁側が下がった斜め姿勢で両側板３６の間に渡され、左右両端に立ち上がり形成された取付板３７Ｂを両側板３６に当ててリベットＲにより固定されている。ファン取付板３７の前縁は、側板３６の上縁位置に達しており、同前縁から手前に向けてフランジ３７Ｃが水平姿勢で形成されている。また、ファン取付板３７の後縁からは、連結板３７Ｄが直角に立ち上がり形成されている。
【００１４】
ドレンパン３８は、両側板３６の間において、ファン取付板３７の後縁位置から、側板３６の奥縁位置の少し手前の位置に亘って嵌る浅皿状に形成されている。同ドレンパン３８の底板３８Ａの奥縁並びに奥壁３８Ｂは、正面から見て横幅方向の中央部から少し左側に寄った位置が最も奥側に突出するような、緩やかな山形に形成されており、底板３８Ａの最も奥側に突出した部分に排水口３９が開口されている。また排水管４０が設けられ、同排水管４０は、基端側の所定領域の上面が切除され、その基端部の開口が、上記の排水口３９の下面側を覆って当てられて溶接等で固定されている。また、排水管４０の先端部は、先細りとなるように上面側がテーパ状に切除されている。
【００１５】
このドレンパン３８が、排水管４０側が下がった斜め姿勢を取って、ファン取付板３７の直後から側板３６の後縁の少し手間の位置に亘って嵌められ、左右の側壁３８Ｃを左右の側板３６の内面に当ててリベットＲにより固定されている。また、ドレンパン３８の手前側の壁３８Ｄが、ファン取付板３７の後縁からに立ち上げられた連結板３７Ｄの上端部に、同じくリベットＲで連結されている。ドレンパン３８は、その奥壁３８Ｂが、側板３６の後縁から少し手前に引っ込んでおり、一方、排水管４０の先端は、側板３６の下縁よりも下方に下がりつつ、側板３６の後縁よりも奥に突出している。
【００１６】
エアダクト３５における前縁と左右の側縁とに設けられたフランジ３７Ｃ，３６Ｂには、それぞれねじ４２の挿通孔４３が形成されており、手前のフランジ３７Ｃには中央部と左右両端部との３箇所、左右のフランジ３６Ｂには前後２箇所ずつにそれぞれ形成されている。  
また、本体１０の奥壁１０Ａには縦向きの排水路４４が設けられ、その上端にはエルボ４５が接続されて、冷蔵室１５の奥面における上端部の所定位置に開口している。なお、排水路４４の下端側は、例えば同奥壁１０Ａから側壁側に回り込んだのち、本体１０の底面に開口している。
【００１７】
上記したエアダクト３５は、各吸込口３７Ａに冷却ファン４６が取り付けられたのち、詳しくは後記するように、手前と左右のフランジ３７Ｃ，３６Ｂが、天面開口部３３の下面側における手前と左右の口縁部にそれぞれ当てられて、ねじ４２で止められて固定されるようになっている。このとき、ドレンパン３８の奥壁３８Ｂから突設された排水管４０が、本体１０の奥壁１０Ａに設けられた排水路４４のエルボ４５内に進入するとともに、ドレンパン３８の奥壁３８Ｂと、本体１０の奥壁１０Ａとの間にできたクリアランスによって、吹出口４７が形成されるようになっている。
【００１８】
したがって冷却ファン４６が駆動されると、図２の矢線に示すように、冷蔵室１５の空気が吸込口３７Ａから冷却器室３４内に吸い込まれ、冷却器３０を流通したのち吹出口４７から冷蔵室１５に向けて吹き出されるといった循環流が生じ、冷蔵室１５内が冷却される。また、適宜に除霜運転が行われ、冷却器３０等からの除霜水は、ドレンパン３８で受けられたのち、その奥端の排水管４０から奥壁１０Ａの排水路４４を通って、庫外に排水されるようになっている。
【００１９】
なお、本体１０の前面開口部１８に形成された４個の出入口２０には、その口縁の裏面にコードヒータ等からなる前面ヒータ４８が配線され、出入口２０の口縁の表面に結露したり、断熱扉２１のパッキン２１Ａが凍り付くのを防止するようになっている。前面ヒータ４８は、図５に示すように、前面開口部１８の口縁の裏面に全周に亘って配線されるものと、図示はしないが十字形の仕切枠１９に配線されるものと２本が備えられる。  
このうち、前面開口部１８の口縁の裏面に配線される前面ヒータ４８は、本体１０（断熱箱体）が形成される前に予め配線され、言わば本体１０の内部に埋設された状態であって、そのリード線４８Ａは、本体１０の天井面からその上方に引き出されるようになっている。一方、仕切枠１９は、本体１０の前面開口部１８に後付けで組み付けられるため、同仕切枠１９に配線された前面ヒータのリード線（図示せず）は、仕切枠１９の組み付け時に、本体１０の天井壁３２を貫通してその上方に引き出されるようになっている。
【００２０】
また除霜時において、除霜水に混じって霜の塊が排水管４０から排出され、それが排水路４４で詰まって凍り付く可能性もあるため、図２に示すように、排水路４４の上端部の外周にドレンヒータ４９が装着され、霜の塊を融かして凍り付きを防止するようになっている。  
このドレンヒータ４９も、本体１０内に埋設された状態となるため、そのリード線４９Ａは、同じく電装箱等が設置される本体１０の上面側に引き出す必要がある。ドレンヒータ４９のリード線４９Ａは、上方に引き出されて天面開口部３３の奥側の周壁の裏面を右端まで配線されたのち、右側の周壁の裏面に沿って手前側に配線され、天面開口部３３の右手前角部から、前面ヒータ４８のリード線４８Ａともども、上方に引き出されるようになっている。  
ドレンヒータ４９のリード線４９Ａも、本体１０（断熱箱体）の外殻を組み付ける途中において予め配線され、その後に外殻内に発泡樹脂が発泡充填されるようになっている。
【００２１】
この実施形態では、天面開口部３３の周壁の裏面側に配線されたドレンヒータ４９のリード線４９Ａが、エアダクト３５を取り付ける際のねじ４２で傷付けられるのを防止するための手段が講じられており、以下に説明する。  
まず、本体１０の天井壁３２に設けられた天面開口部３３の構造について説明する。本体１０の天井壁３２の外殻は、図６及び図７に示すように、外箱１１の天板５０（以下、外装天板５０という）と、内箱１２の天板６０（以下、内装天板６０という）と、連結枠７０とによって形成されている。  
外装天板５０は、上記したように亜鉛鋼板等の金属板製であって、正面から見て左右方向に長い平面長方形に形成されており、その横幅方向の中央部で、かつ奥行方向の奥側に寄った位置に、左右方向に長い角孔５１が開口されている。この角孔５１の開口縁には、下向きに直角曲げされた短寸の屈曲部５２が、全周に亘って形成されている。また、同角孔５１の右手前の隅部には、逃がし孔５３が手前側に向けて切り欠き形成されている。
【００２２】
内装天板６０は、外装天板５０の下面側において所定間隔を開けて配されるようになっており、上記したようにステンレス鋼板等の金属板製であって、外装天板５０よりも一回り小さい左右方向に長い平面長方形に形成されている。内装天板６０にも、外装天板５０の角孔５１の直下における同心位置に、同角孔５１よりも一回り小さい角孔６１が開口されている。内装天板６０の角孔６１の開口縁には、上向きに直角曲げされた短寸の屈曲部６２が、全周に亘って形成されている。
【００２３】
外装天板５０の角孔５１の開口縁と、内装天板６０の角孔６１の開口縁との間に亘って、連結枠７０が装着されている。この連結枠７０は合成樹脂製であって、図６ないし図８に示すように、外装天板５０と内装天板６０の配設間隔にほぼ等しい高さを有する４枚の周壁７１を巡らせた平面方形に形成されている。  
各周壁７１の断面形状は、縦壁７２の上端部から横壁７３が外方に張り出し形成され、同横壁７３の張り出し端の全周に亘る上面に、厚肉部７４Ｕが立ち上がり形成された段差状となっている。同周壁７１の上側厚肉部７４Ｕの上面には、外装天板５０の角孔５１の開口縁に下向きに形成された屈曲部５２が差し込まれる差込溝７５Ｕが、全周に亘って形成されている。
【００２４】
上記した差込溝７５Ｕにおける外側の側面の上縁位置、詳細には、長辺側の２本の差込溝７５Ｕでは、全長をほぼ３等分する２位置における外側の側面の上縁に沿った箇所に、また短辺側の２本の差込溝７５Ｕでは、長さ方向の両端部に寄った２位置における外側の側面の上縁に沿った箇所に、それぞれ横長の係止突起７７Ｕが形成されている。一方、外装天板５０の屈曲部５２の根元部分には、各係止突起７７Ｕと対応する位置ごとに、係止突起７７Ｕが嵌る係止孔５５が開口されている。差込溝７５Ｕの外側の側壁の突出端には、外向きのフランジ８２Ｕが全周にわたって形成されており、このフランジ８２Ｕの上面が、外装天板５０の角孔５１の開口縁における下面側（内面側）の口縁部５１Ａに密着する密着面８３Ｕとなっている。
【００２５】
また、各周壁７１の縦壁７２の下端部における外面には、下側厚肉部７４Ｄが全周に亘って形成されており、この下側厚肉部７４Ｄの下面には、内装天板６０の角孔６１の開口縁に上向きに形成された屈曲部６２が差し込まれる差込溝７５Ｄが、全周に亘って形成されている。  
下側の差込溝７５Ｄにおける外側の側面の下縁位置、同様に、長辺側の２本の差込溝７５Ｄでは、全長をほぼ３等分する２位置における外側の側面の下縁に沿った箇所に、また短辺側の２本の差込溝７５Ｄでは、長さ方向の両端部に寄った２位置における外側の側面の下縁に沿った箇所に、それぞれ横長の係止突起７７Ｄが形成されている。一方、内装天板６０の屈曲部６２の根元部分には、各係止突起７７Ｄと対応する位置ごとに、係止突起７７Ｄが嵌る係止孔６５が開口されている。差込溝７５Ｄの外側の側壁の突出端には、同様に外向きのフランジ８２Ｄが全周にわたって形成されており、このフランジ８２Ｄの下面が、内装天板６０の角孔６１の開口縁における上面側（内面側）の口縁部６１Ａに密着する密着面８３Ｄとなっている。
【００２６】
上記したように、連結枠７０の上面の内周部には、全周に亘って一段下がった形態で方形の環状をなす段差面８７が形成されており、この段差面８７の上方の空間が、リード線４８Ａ，４９Ａの収容凹部８８となっている。  
連結枠７０の上面における右手前の角部からは、手前に張り出すようにして張出部９０が形成されており、同張出部９０には、上記した段差面８７の右手前の角部から同段差面８７と面一の状態で手前に延出するようにして延出部９２が形成されている。この延出部９２は、上記した外装天板５０の角孔５１の逃がし孔５３の下方に対応して形成され、同延出部９２には、リード線４８Ａ，４９Ａを挿通可能な電線挿通孔９３が開口されている。  
また、段差面８７における内側の四隅には、角に丸みが付けられた平面アングル形の落下防止壁９５が立ち上がり形成されている。同落下防止壁９５は、上側厚肉部７４Ｕの約半分の高さである。
【００２７】
連結枠７０の周壁７１における縦壁７２の外面には、ほぼ中央高さ位置において、補強リブ９９が全周にわたって形成されている。そして、手前側と左右の縦壁７２の外面には、補強リブ９９の下側において、リード線４９Ａの侵入を規制する規制部１００が設けられている。  
一部既述したように、エアダクト３５は、手前と左右のフランジ３７Ｃ，３６Ｂが、天面開口部３３の下面側における手前と左右の口縁部にそれぞれ当てられて、ねじ４２で止められて固定されるようになっている。そのため、同天面開口部３３の下面側における手前と左右の口縁部となる、内装天板６０の角孔６１の手前と左右の口縁部６１Ａには、各フランジ３７Ｃ，３６Ｂのねじ４２の挿通孔４３と対応する位置ごとに、図１３に示すように、バーリング部６７が上向きに形成されて、ねじ孔６８が切られている。
【００２８】
上記した規制部１００は、２枚の縦向きの略方形状をなす規制板１０１を間隔を開けて配した構造であって、図９に示すように、上記した内装天板６０の角孔６１の口縁部６１Ａに形成されたねじ孔６８と対応するようにして、手前側の縦壁７２では、長さ方向の中央部と両端部の３箇所に、左右の縦壁７２では、長さ方向の両端部の２箇所に、それぞれ設けられている。  
各規制板１０１は、図１０及び図１３にも示すように、下側フランジ８２Ｄにおける密着面８３Ｄから、上記した補強リブ９９の少し下方位置に至る背の高さと、下側フランジ８２Ｄの突出長さの２倍程度の突出長を有しており、同フランジ８２Ｄの突出長さの同程度の間隔を開けて配されている。
【００２９】
両規制板１０１の間では、下側フランジ８２Ｄの突出端が少し奥側に後退しており、言い換えると、両規制板１０１の間において、後退したフランジ８２Ｄの突出端の手前側は、下面に開口した開口部１０２となっている。そして、内装天板６０に設けられた各バーリング部６７（ねじ孔６８）は、対応する規制部１００における開口部１０２の中央部よりも少し奥側に入った位置に挿入されるようになっている。  
なお、本実施形態では、ドレンヒータ４９のリード線４９Ａが配線されるのは、天面開口部３３の奥側と右側の周壁の裏面側だけであり、このうちねじ止めされて接触のおそれがあるのは、右側の口縁部のみであるから、右側の周壁７１に設けられた規制部１００のみが実質的に使用される。他の周壁７１に設けられた規制部１００は、リード線等の電線の配線位置が変更となって、それらの周壁７１の裏面側に沿って電線が配線された場合に、ねじから保護することに機能する。
【００３０】
続いて、本体１０の製造手順の一例を説明する。  
外箱１１は、前面開口の箱形のうち外装天板５０を除いた形態（前面開口部１８の上側の口縁は含む）で組み付けられ、図５に示すように、前面開口部１８の口縁の裏面側に前面ヒータ４８が配線される。同前面ヒータ４８は例えば、前面開口部１８の裏面側の口縁における右上角部から、上縁、左縁、下縁及び右縁に沿い、同右上角部に戻るといったように配線されて、テープ等で貼り付けられる。前面ヒータ４８の両端に接続されたリード線４８Ａは、自由状態で延出される。  
それとともに、外箱１１の奥面に排水路４４が設けられ、その上端部の外周面にドレンヒータ４９が装着される。ドレンヒータ４９のリード線４９Ａも、自由状態で延出される。
【００３１】
内箱１２は前面開口の箱形に組み付けられ、内装天板６０の角孔６１の上側の開口縁に対して、連結枠７０が組み付けられる。それには、連結枠７０が、電線挿通孔９３が右手前隅部に来る姿勢とされ、連結枠７０の下面の差込溝７５Ｄが、内装天板６０の角孔６１の開口縁に設けられた上向きの屈曲部６２に向けて差し込まれる。そうすると、屈曲部６２の上縁が、係止突起７７Ｄに当たって弾性変形しつつ押し込まれ、連結枠７０における下側の密着面８３Ｄが、内装天板６０の角孔６１の上面側の口縁部６１Ａに当たるまで押し込まれると、係止孔６５の上縁が係止突起７７Ｄを通過するために、屈曲部６２が復元変形しつつ係止突起７７Ｄが係止孔６５に嵌って係止する。このような係止動作が、係止突起７７Ｄと係止孔６５の組が設けられた箇所ごとに行われ、これにより連結枠７０の下縁が、内装天板６０の角孔６１における上側の開口縁に対して、外れ止めされて組み付けられる。
【００３２】
このように連結枠７０が装着された状態の内箱１２が、図示しないスペーサを介して、外箱１１内に所定の間隔を開けて収容される。このとき、前面ヒータ４８のリード線４８Ａが、内装天板６０の上面に沿い、同内装天板６０の右手前角部から、図１２に参照して示すように、連結枠７０の段差面８７の延出部９２の下方に配線され、さらに電線挿通孔９３を通して上方に引き出され、一旦段差面８７上、すなわち収容凹部８８に沿って収容される。  
それとともに、ドレンヒータ４９のリード線４９Ａが、内装天板６０の上面において、図５及び図１２に示すように、連結枠７０の奥側の縦壁７２の裏面から、右側の縦壁７２の裏面に沿うように配線され、特に右側の縦壁７２の裏面では、図１３及び図１４に示すように、規制板１０１の突出縁に当たることで、それ以上、縦壁７２の裏面側に侵入すること、言い換えると、ねじ孔６８の位置まで侵入することが規制される。  
リード線４９Ａの先端は、連結枠７０の電線挿通孔９３を通して上方に引き出され、上記した前面ヒータ４８のリード線４８Ａとともに、一旦収容凹部８８に収容される。
【００３３】
この状態から、外箱１１の天面に対して外装天板５０が張られる。詳細には、外装天板５０は、角孔５１の逃がし孔５３が右手前に来た姿勢とされて、外箱１０の開口された天面に嵌められ、それに伴い、外装天板５０の角孔５１の開口縁に設けられた下向きの屈曲部５２が、連結枠７０の上面の差込溝７５Ｕに差し込まれる。下向きの屈曲部５２は、係止突起７７Ｕに当たって弾性変形しつつ押し込まれ、外装天板５０の角孔５１の下面側の口縁部５１Ａが、連結枠７０における上側の密着面８３Ｕに当たるまで押し込まれると、係止孔５５の下縁が係止突起７７Ｕを通過するために、屈曲部５２が復元変形しつつ係止突起７７Ｕが係止孔５５に嵌って係止する。係る係止動作が、係止突起７７Ｕと係止孔５５の組が設けられた箇所ごとに行われ、これにより、連結枠７０の上縁が、外装天板５０の角孔５１における下側の開口縁に対して、外れ止めされて組み付けられる。外装天板５０は、外箱１１の天面に固定される。  
以上により、天面開口部３３の外殻が形成される。それとともに、外箱１１と内箱１２の前面の開口縁同士の間が合成樹脂製のジョイナで閉鎖されつつ連結され、これにより、前面開口部１８と天面開口部３３とを備えた断熱箱体の外殻が形成される。
【００３４】
このような断熱箱体の外殻が、発泡治具（図示せず）内にセットされて内外両面から押さえられ、例えば外箱１１に形成された注入口（図示せず）から断熱材１３である発泡ウレタン樹脂の原液が注入されて、これが両箱１１，１２の間の中空内で発泡し充填されることにより、断熱箱体が形成される。このとき、前面ヒータ４８のリード線４８Ａと、ドレンヒータ４９のリード線４９Ａにおける外装天板５０の上方に引き出されるべき部分が、外装天板５０の上面よりも一段下がった収容凹部８８内に収容されているから、同リード線４８Ａ，４９Ａが発泡治具で押さえ付けられることが回避される。  
一方、外殻の内部では、連結枠７０の回りに配線されたリード線４９Ａに対して、周壁７１の裏面側に押し付けるような発泡圧が作用することがあるが、その場合も規制板１０１の突出縁に当たることで、ねじ孔６８の位置まで侵入することが規制される。
【００３５】
上記のように断熱箱体が形成されたら、連結枠７０の収容凹部８８に収容されていたリード線４８Ａ、４９Ａが、図５に示すように、外装天板５０の角孔５１の逃がし孔５３を通して上方に引き出される。そうしたら、冷凍ユニット２５の基台２６が、天面開口部３３の上面を塞いで設置され、そのとき、リード線４８Ａ，４９Ａの先端は、基台２６の隅部等に開口された挿通孔（図示せず）を通して、基台２６の上面側に引き出される。
【００３６】
また、冷却ファン４６を装備したエアダクト３５が、天面開口部３３の下面側を覆って取り付けられる。詳細には、ドレンパン３８の排水管４０が、本体１０の奥壁１０Ａの排水路４４のエルボ４５に挿入されつつ、手前と左右のフランジ３７Ｃ，３６Ｂが、天面開口部３３の下面側における手前と左右の口縁部にそれぞれ当てられる。この状態から、図１３及び図１４に示すように、エアダクト３５のフランジ３７Ｃ，３６Ｂの各挿通孔４３に下面側からねじ４２を通して、内装天板６０の対応位置に形成されたねじ孔６８に螺合して締め付けることで固定される。なお、図１３及び図１４では、断熱材の図示が省略されている。  
このとき、同図に示すように、リード線４９Ａは、ねじ４２の先端の突出位置から離間した位置に保持されているから、ねじ４２の先端と干渉するおそれはない。  
その他、冷蔵室１５の内面に棚柱１６が取り付けられ、また前面開口部１８に、十字形に組まれた断熱性の仕切枠１９が装着され、それによって形成された出入口２０に断熱扉２１が装着されることになる。
【００３７】
本実施形態では、ドレンヒータ４９のリード線４９Ａが、天面開口部３３の周面を構成する連結枠７０の周壁７１の裏側に沿うように配線される一方、エアダクト３５は天面開口部３３の下面側を覆ってねじ４２により固定され、同ねじ４２が、連結枠７０の周壁７１の裏側に突出するという事情がある。  
そこで本実施形態では、連結枠７０の縦壁７２の裏面に、２枚の縦向きの規制板１０１を間隔を開けて配してなる規制部１００が設けられ、両規制板１０１の間に、内装天板６０に設けられたねじ孔６８が位置するようにしている。そのため、発泡前にリード線４９Ａが配線される際にリード線４９Ａが引っ張られたり、発泡時の発泡圧を受けた場合でも、リード線４９Ａは規制板１０１の突出縁に当たることで、ねじ孔６８の位置、すなわちねじ４２の突出部分に侵入することが規制される。
【００３８】
その結果、エアダクト３５を取り付けるべくねじ４２がねじ込まれて、連結枠７０の周壁７１の裏面側に突出した場合にも、リード線４９Ａと干渉することが回避される。リード線４９Ａは、連結枠７０の周壁７１の裏面に沿うように単に配線すれば、規制部１００によって発泡の前後に拘わらずリード線４９Ａがねじ４２の突出部分に侵入することが回避でき、すなわちリード線４９Ａの配線に格別の気を遣ったり、手間を掛ける必要がない。  
すなわち、リード線４９Ａの配線作業の繁雑さを招くことなく、本体１０（断熱箱体）内のリード線４９Ａを断線等から保護することができる。
【００３９】
＜実施形態２＞
次に、本発明の実施形態２を図１５によって説明する。この実施形態２では、規制部１１０の形状に変更が加えられている。  
実施形態２の規制板１１１は、上記実施形態１に示した規制板１０１と同一形状の本体部１１２を備え、この本体部１１２の突出縁の上端部から、突片１１３が同本体部１１２の板面に沿って略水平方向に突出形成されている。突片１１３は例えば、本体部１１２の板厚と同じ幅を有していて、本体部１１２における下側フランジ８２Ｄから突出した長さにほぼ匹敵する突出長さを有している。
【００４０】
この実施形態２では、ドレンヒータ４９のリード線４９Ａが規制板１１１の本体部１１２の突出縁に当たることで、リード線４９Ａがねじ孔６８の位置に侵入することが防止される。それに加え、突片１１３に引っ掛かることにより、リード線４９Ａが規制板１１１の上に乗り上げることが防止される。そのため、図１５の鎖線に示すように、誤って長いねじ４２Ａをねじ込んで、ねじ４２Ａの先端が規制板１１１の上縁よりも上に突出するような場合にも、ねじ４２Ａがリード線４９Ａと干渉することが防止される。
【００４１】
＜実施形態３＞
図１６は本発明の実施形態３を示す。実施形態３の規制部１２０では、規制板１２１の形状にさらに変更が加えられており、上記実施形態２に示した突片１１３の先端に、下向きに直角曲げされた屈曲部１２２が形成されている。屈曲部１２２の下端は、例えば、本体部１１２の１／３の高さ位置程度まで垂下している。  
この実施形態３の規制板１２１によれば、ドレンヒータ４９のリード線４９Ａがねじ４２の突出位置に侵入すること、さらに規制板１２１の上面に乗り上げることが規制される。
【００４２】
それに加え、発泡前の状態においてリード線４９Ａが屈曲部１２２の内側に配線されていれば、発泡時の発泡圧を受けた場合に、リード線４９Ａは屈曲部１２２に当たることで逆に規制板１２１から離間する方向の位置ずれも規制される。すなわち、リード線４９Ａは屈曲部１２２の内側にあることが担保される。  
そのため例えば、天面開口部３３の口縁部において、内装天板６０や外装天板５０にドリルで孔を開ける後加工が必要となった場合、同孔開けの位置を、屈曲部１２２よりも外側に対応する位置に設定する限り、同位置にはリード線４９Ａが存在しないから、リード線４９Ａを傷付けるのを心配することなく、孔開け加工を行うことが可能である。
【００４３】
＜他の実施形態＞
本発明は上記記述及び図面によって説明した実施形態に限定されるものではなく、例えば次のような実施形態も本発明の技術的範囲に含まれる。  
（１）規制部の形状としては上記実施形態に例示したものに限らず、リード線がねじの突出位置に侵入することをより確実に防止するために、２枚の規制板の突出縁の間を塞いだり、両規制板の間の天面を塞ぐ等、他の形状であってもよい。  
（２）ドレンヒータのリード線以外にも、前面ヒータのリード線等の他の電線が連結枠の周壁の裏側に沿うように配線されたものについても、本発明は同様に適用することができる。
【００４４】
（３）天面開口部ひいては連結枠は、上記実施形態に例示した平面方形状に限らず、冷凍ユニットの基台ともども任意の平面形状であってよい。  
（４）エアダクトは金属板製に限らず、合成樹脂製であってもよい。  
（５）上記実施形態では、冷却器室を形成するカバーがエアダクトを兼用しているが、カバーとは別にエアダクトが備えられていてもよく、そのようなものも本発明の技術的範囲に含まれる。
【図面の簡単な説明】
【００４５】
【図１】本発明の実施形態１に係る冷蔵庫の外観斜視図
【図２】同縦断面図
【図３】エアダクトの平面図
【図４】同側断面図
【図５】断熱箱体の斜視図
【図６】天井壁の外殻の分解斜視図
【図７】同一部切欠分解断面図
【図８】連結枠の平面図
【図９】連結枠と内装天板の下面側から見た斜視図
【図１０】規制部の配設部分を示す一部切欠部分斜視図
【図１１】天井壁の外殻における図８のＸ−Ｘ線で切断した断面図
【図１２】天井壁の外殻における図８のＹ−Ｙ線で切断した断面図
【図１３】エアダクトのねじ止め部分の断面図
【図１４】同斜視図
【図１５】実施形態２に係るエアダクトのねじ止め部分の斜視図
【図１６】実施形態３に係るエアダクトのねじ止め部分の斜視図
【符号の説明】
【００４６】
１０…冷蔵庫本体（貯蔵庫本体，断熱箱体）  １０Ａ…（本体１０の）奥壁  １１…外箱  １２…内箱  １３…断熱材  ２６…基台  ２７…冷凍装置  ３０…冷却器  ３２…天井壁  ３３…天面開口部（開口部）  ３４…冷却器室  ３５…エアダクト（カバー）  ３６Ｂ，３７Ｃ…（エアダクト３５の）フランジ  ３８…ドレンパン  ４０…排水管  ４２…ねじ  ４３…挿通孔  ４４…排水路  ４９…ドレンヒータ  ４９Ａ…（ドレンヒータ４９の）リード線  ５０…外装天板  ５１…角孔（窓孔）  ６０…内装天板  ６１…角孔（窓孔）  ６８…ねじ孔  ７０…連結枠  ７１…周壁  １００…規制部（規制手段）  １０１…規制板  １０２…開口部  １１０…規制部（規制手段）  １１１…規制板  １１２…本体部  １１３…突片  １２０…規制部（規制手段）  １２１…規制板  １２２…屈曲部
【図１】
2008309441.tif 000003
【図２】
2008309441.tif 000004
【図３】
2008309441.tif 000005
【図４】
2008309441.tif 000006
【図５】
2008309441.tif 000007
【図６】
2008309441.tif 000008
【図７】
2008309441.tif 000009
【図８】
2008309441.tif 000010
【図９】
2008309441.tif 000011
【図１０】
2008309441.tif 000012
【図１１】
2008309441.tif 000013
【図１２】
2008309441.tif 000014
【図１３】
2008309441.tif 000015
【図１４】
2008309441.tif 000016
【図１５】
2008309441.tif 000017
【図１６】
2008309441.tif 000018